(57)【要約】【課題】重積された食品パック重積体から手前の１枚の食品パックを円滑に取り出せる食品パック重積体の押え機構及びこれを用いる食品パック台を提供すること。【解決手段】食品パック重積体Ａを、食品が収納される収納側を後方向きとして、且つ前方下り傾斜状に設置するスタンド１と、食品パック重積体Ａの最前パックａ１の上端を、自重により常時、押圧する手段２と、を有する食品パック重積体の押え機構５０及びこれを用いる食品パック台１０。【選択図】図１
2018002283.tif 000002
【特許請求の範囲】
【請求項１】
食品パック重積体を、食品が収納される収納側を後方向きとして、且つ前方下り傾斜状に設置するスタンドと、
該食品パック重積体の最前パックの上端を、自重により常時、押圧する手段と、を有することを特徴とする食品パック重積体の押え機構。
【請求項２】
該押圧する手段が、上下方向に延びる縦材と、該縦材に接合される前方へ直線状に延びる線材と、を有し、該線材は、略水平に支持され、該食品パック重積体の最前パックの上端に当接することを特徴とする請求項１記載の食品パック重積体の押え機構。
【請求項３】
該線材は、円形断面の左右一対のもので、連結体で連結されていることを特徴とする請求項２記載の食品パック重積体の押え機構。
【請求項４】
側面視における該食品パック重積体の上端ラインと、側面視における該線材の直線状に延びる直線ラインとは、傾斜していることを特徴とする請求項２又は３に記載の食品パック重積体の押え機構。
【請求項５】
該縦材を上下移動自在に遊嵌するレール部材を更に、有することを特徴とする請求項２〜４のいずれか１項に記載の食品パック重積体の押え機構。
【請求項６】
該縦材が円形断面の線材であり、該レール部材が、中空管であることを特徴とする請求項５記載の食品パック重積体の押え機構。
【請求項７】
該押圧する手段の重さが、１００ｇ〜３００ｇであることを特徴とする請求項１〜６のいずれか１項に記載の食品パック重積体の押え機構。
【請求項８】
該食品パックは、食品を収納する本体と、蓋体とを備えることを特徴とする請求項１〜７のいずれか１項に記載の食品パック重積体の押え機構。
【請求項９】
該食品パック重積体は、該本体と該蓋体が横並びとなる食品パックを、多数、重積したものであることを特徴とする請求項１〜８のいずれか１項に記載の食品パック重積体の押え機構。
【請求項１０】
該左右一対の線材の中、一方の線材が該本体と当接し、他方の線材が該蓋体と当接することを特徴とする請求項８記載の食品パック重積体の押え機構。
【請求項１１】
請求項１〜１０のいずれか１項に記載の該食品パック重積体の押え機構を有することを特徴とする食品パック台。 
【発明の詳細な説明】
【技術分野】
【０００１】
本発明は、多数の食品パックが重積された斜め縦置きの食品パック重積体から、手前の１枚の食品パックのみをスムーズに取り出せる食品パック重積体の押え機構及びこれを用いた食品パック台に関する。
【背景技術】
【０００２】
近年、スーパなどの惣菜置き場には、合成樹脂のシート材を原材として、本体と蓋体とを一体的に成型した食品パックの重積体が置かれている。顧客は、この食品パック重積体の手前のパック１枚を取り出し、片方の手に持ち、他方の手に持ったトングで惣菜などの食品を掴み、食品パックに収納し、蓋体を閉め且つゴムバンドで留めて買い物カゴに入れる。
【０００３】
通常、食品パックは、薄状の合成樹脂シート材から成型され、惣菜売り場には、これを例えば、１００枚、重積されたパック重積体として置かれている。この場合、顧客は、手前の１枚のパックのみを取り出すものの、重積されたパック間の静電気により、複数個がブロック状に引き出されることがある。パックが複数個、ブロック状に引き出されると、１枚を除いて元に戻すことは衛生上、好ましくない。また、元に戻さない場合、１枚を除いて廃棄物となる等の問題を生じる。
【０００４】
特開平９−５７８４１号公報には、重積体から容器を円滑に取り出す方法として、ポリプロピレンシートの熱成形により得られた重積可能な形状の容器であって、該容器を１００個その形状に沿って重積した重積体について、１０００ｍｍ／秒の速度で１個ずつ該容器を該重積体から取り外す際に、１個ずつ取り外せる個数が少なくとも９５個であるような重積摩擦係数を有するポリプロピレン容器が開示されている。これによれば、重積時に他容器と接触する外面および内面の少なくとも一方の摩擦係数を特定の値より小さくするため、かかる容器の取り外し時の作業性が改良される。
【先行技術文献】
【特許文献】
【０００５】
【特許文献１】特開平９−５７８４１号公報（請求項１）
【発明の開示】
【発明が解決しようとする課題】
【０００６】
しかしながら、特開平９−５７８４１号公報のポリプロピレン容器は、容器側からの改良であり、製造工程において、滑剤を塗布する工程が必要であり、製造コストを上昇させる。従って、パック重積体から複数個がブロック状に引き出される問題を、食品パック重積体を載せるスタンド（台）側から解決できれば、市販の全ての食品パック重積体に適用できて都合がよい。
【０００７】
従って、本発明の目的は、重積された食品パック重積体から手前の１枚の食品パックを円滑に取り出せる食品パック重積体の押え機構及びこれを用いる食品パック台を提供することにある。
【課題を解決するための手段】
【０００８】
すなわち、本発明は、上記従来の課題を解決するものであって、食品パック重積体を、食品が収納される収納側を後方向きとして、且つ前方下り傾斜状に設置するスタンドと、該食品パック重積体の最前パックの上端を、自重により常時、押圧する手段と、を有することを特徴とする食品パック重積体の押え機構を提供するものである。
【０００９】
また、本発明は、該押圧する手段が、上下方向に延びる縦材と、該縦材に接合される前方へ直線状に延びる線材と、を有し、該線材は、略水平に支持され、該食品パック重積体の最前パックの上端に当接することを特徴とする前記食品パック重積体の押え機構を提供するものである。
【００１０】
また、本発明は、該線材は、円形断面の左右一対のもので、連結体で連結されていることを特徴とする前記食品パック重積体の押え機構を提供するものである。
【００１１】
また、本発明は、側面視における該食品パック重積体の上端ラインと、側面視における該線材の直線状に延びる直線ラインとは、傾斜していることを特徴とする前記食品パック重積体の押え機構を提供するものである。
【００１２】
また、本発明は、該縦材を上下移動自在に遊嵌するレール部材を更に、有することを特徴とする前記食品パック重積体の押え機構を提供するものである。
【００１３】
また、本発明は、該縦材が円形断面の線材であり、該レール部材が、中空管であることを特徴とする前記食品パック重積体の押え機構を提供するものである。
【００１４】
また、本発明は、該押圧する手段の重さが、１００ｇ〜３００ｇであることを特徴とする前記食品パック重積体の押え機構を提供するものである。
【００１５】
また、本発明は、該食品パックは、食品を収納する本体と、蓋体とを備えることを特徴とする前記食品パック重積体の押え機構を提供するものである。
【００１６】
また、本発明は、該食品パック重積体は、該本体と該蓋体が横並びとなる食品パックを、多数、重積したものであることを特徴とする前記食品パック重積体の押え機構を提供するものである。
【００１７】
また、本発明は、該左右一対の線材の中、一方の線材が該本体と当接し、他方の線材が該蓋体と当接することを特徴とする前記食品パック重積体の押え機構を提供するものである。
【００１８】
また、本発明は、前記該食品パック重積体の押え機構を有することを特徴とする食品パック台を提供するものである。
【発明の効果】
【００１９】
本発明によれば、重積された食品パック重積体から手前の１枚の食品パックを円滑に取り出せる食品パック重積体の押え機構及びこれを用いる食品パック台を提供することができる。
【図面の簡単な説明】
【００２０】
【図１】本発明の実施の形態における食品パック重積体の押え機構及び食品パック台の斜視図である。
【図２】図１の食品パック台の正面図である。
【図３】図１の食品パック重積体の押え機構及び食品パック台の分解斜視図である。
【図４】図１の食品パック台の一部の拡大断面図である。
【図５】図１の食品パック重積体の押え機構を説明する図である。
【図６】食品パック重積体の押え機構における押圧手段の他の例である。
【図７】食品パック重積体の押え機構における押圧手段の他の例である。
【図８】食品パック重積体の押え機構における押圧手段の他の例である。
【図９】食品パックと当接する線材の正面から見た端面図である。
【図１０】食品パックと当接する線材の正面から見た他の端面図である。
【図１１】食品パックと当接する線材の正面から見た他の端面図である。
【図１２】食品パックの半開き状態における斜視図である。
【発明を実施するための形態】
【００２１】
本発明の実施の形態における食品パック重積体の押え機構及び食品パック台を図１〜図５を参照して説明する。本明細書中、前後方向及び左右方向は、設置状態における顧客側から見た方向を言う。食品パック台１０は、食品パック重積体の押え機構５０を備えるものである。食品パック重積体の押え機構５０は、食品パック重積体Ａを、食品が収納される収納側を後方向きとして、且つ前方下り傾斜状に設置するスタンド１と、食品パック重積体Ａの最前パックａ１の上端７１を、自重により常時、押圧する手段２と、を有する。
【００２２】
食品パック重積体Ａは、薄状の合成樹脂シート材から成型される食品パックａを、多数（例えば１００枚）、重積した公知のものである。このため、通常、何の対策もせずに、最前の食品パックａを取り出す際、重積されたパック間の静電気により、複数個がブロック状に引き出されることがある。食品パックａは、例えば、図１２に示すように、惣菜売り場等で使用される、食品を収納する本体６１と、蓋体６２とを備えるものが挙げられる。また、食品パックａは、本体６１と蓋体６２を接続する接続辺を有していてもよい。
【００２３】
スタンド１は、食品パック重積体Ａが設置されるものであり、箱型容器あるいは線材で形成された容器が挙げられる。本例では、円形断面の線材で形成されており、食品パック重積体Ａの底端が当接する底部１１と、食品パック重積体Ａの後方端が当接する底部１１に対して直角に延びる背もたれる部１２と、食品パック重積体Ａの左右方向への転落を防止する側部１３、１３とからなる。スタンド１は、基台３である左右一対の支柱３１、３１に対して、底部１１が前方へやや登り傾斜となるように固定される。これにより、スタンド１に対して、食品パック重積体Ａを、本体６１と蓋体６２が横並びとなるように、前方下り傾斜で設置することができる（図３及び図４）。食品パック重積体Ａは、この設置状態において、側面視における食品パック重積体Ａの上端ライン８は、底部１１と平行であり、後方下り傾斜となっている。これにより、食品パック重積体Ａの最前のパックａ１の上端７１は、他のパックの上端中、一番高いことになる（図４）。
【００２４】
食品パック重積体の押え機構５０において、食品パック重積体Ａの最前パックａ１の上端７１を、自重により常時、押圧する手段２としては、上下方向に延びる縦材と、該縦材に接合される前方へ直線状に略水平に延びる線材を有するものであればよく、特に該線材が、連結体で連結される左右一対の線材であるものがよく、本例では、図３に示すような、上下方向に延びる左右一対の縦線材（丸棒部材）２１、２１と、縦材２１、２１の上端から前方へ直線状に延びる左右一対の線材（丸棒部材）２２、２２と、線材２２、２２を連結する連結体２３とからなるものである。押圧する手段２において、線材２２、２２は、略水平に支持され、且つ食品パック重積体Ａに乗せられている。このため、食品パック重積体Ａの最前パックａ１の上端７１に、押圧する手段２の自重が掛かる。
【００２５】
食品パック重積体Ａの最前パックａ１に当接する左右一対の線材は、本例では、金属製の最大径が２〜１０ｍｍ、好ましくは４〜６ｍｍ程度の丸棒部材である（図１、図２及び図９）。これにより、食品パック重積体Ａから最前パックａ１を取り出す際、適度な摩擦を付与できる。金属製の丸棒部材の表面としては、平滑表面あるいは微小凹凸表面のいずれであってもよい。
【００２６】
押圧する手段２において、左右一対の線材（丸棒部材）２２、２２の中、一方の線材２２が最前パックａ１の本体６１と当接し、他方の線材２２が最前パックａ１の蓋体６２と当接する。これにより、食品パック重積体Ａの最前パックａ１のみをより取り出し易くなる。本体６１と当接する線材２２は、本体６１の左右方向の長さの中心位置とし、蓋体６２と当接する線材２２は、蓋体６２の左右方向の長さの中心位置とすることが好ましい。
【００２７】
左右一対の縦線材（丸棒部材）２１、２１は、左右一対の前後方向に延びる線材２２、２２と直交する方向に延びるものが好ましい。これにより、左右一対の縦線材（丸棒部材）２１、２１をレール部材４に上下移動自在に嵌め込み、レール部材４を鉛直姿勢とすることで、左右一対の横線材２２、２２を水平姿勢にすることができる。レール部材４は、左右一対の縦線材（丸棒部材）２１、２１を、横方向の移動について規制しつつ、上下方向にはほとんど抵抗なく、移動自在に支持するものである。
【００２８】
連結体２３は、重りの機能を有する。すなわち、押圧する手段２である左右一対の縦線材２１、２１、左右一対の線材２２、２２及び連結体２３の合計重量（自重）は、食品パック重積体Ａを変形させることがなく、また、最前パックａ１をより取り出す際、最前パックａ１及び後方のパックａ２に適度な摩擦抵抗を付与できる重さが好ましく、例えば１００〜３００ｇ、好ましくは１５０〜２５０ｇである。重すぎると食品パック重積体Ａが少なくなった際、潰れる可能性があり、軽すぎると最前パックａ１の後方パックも連れ取りされることがある。
【００２９】
連結体２３は、本例では、図１〜図３に示すように、左右一対の線材２２、２２の上部を差渡し状に連結する板状体である。これにより、重り機能を奏しつつ、食品パック重積体Ａから最前パックａ１を取り出す際の障害とならない。また、左右一対の線材２２、２２を固定するため、設置位置が安定する。
【００３０】
レール部材４は、左右一対の縦部材２１、２１の姿勢を保持するガイド部材である。すなわち、レール部材４は、左右一対の縦部材２１、２１を上下移動自在に遊嵌するものであり、円形断面の丸棒部材（線材）が緩く嵌る丸孔を有する一対の中空管４１を有する。本例では、一対の中空管４１は、基台の支柱（パイプ）に相当する（図４参照）。レール部材４と縦部材２１は、少なくとも、食品パック重積体Ａの設置位置（待機位置）から最前パックａ１が取り出されるまでの間、嵌合状態が保持されるように、レール部材４の嵌合孔深さと縦部材２１の嵌合長さが決定される。これにより、最前パックａ１が取り出される際、縦部材２１が上方移動しても、外れることはない。レール部材４は、一対の中空管４１と、それを連結する連結部４２とからなる。レール部材４は、本例に限定されず、一対の支柱３１、３１の上部に別途形成してもよい。
【００３１】
次に、食品パック重積体Ａの押え機構５０の作用について説明する。図４が待機位置である。すなわち、数十〜１００枚のパックを重積した食品パック重積体Ａがスタンド１に、前方下り傾斜状に設置されている。食品パック重積体Ａの前方下り傾斜と、前方に延びる線材２２とのなす角度（α）は、１０〜３５°、好ましくは１５〜３０°であればよい。角度（α）が、大き過ぎると最前パックａ１が取り出しにくく、小さ過ぎると、最前パックａ１より後方のパックが連れて出てくることがある。すなわち、側面視における食品パック重積体Ａの上端ライン８と、側面視における線材２２の直線状に延びる直線ライン９とは、傾斜している。
【００３２】
押圧する手段２の一対の線材２２は、鉛直方向に延びる中空孔を有する中空管４１に、縦線材２１が嵌合しているため、略水平姿勢を維持して前方に延びている。「略水平」としたのは、水平姿勢の他に、少しの登り傾斜や下り傾斜を含む意味である。図４において、一対の線材２２は、食品パック重積体Ａの前方の上端部、すなわち、最前のパックａ１の上端又は最前のパックａ１を含む数枚の上端、好ましくは最前のパックａ１の上端のみを自重により押圧している。この状態において、食品パック重積体Ａの変形はない。
【００３３】
図１の食品パック重積体Ａの押え機構５０において、顧客は、食品パック重積体Ａから最前のパックａ１を把手により前方に引き出す。この際、引き出される最前のパックａ１の上端が、一対の線材２２を押し上げつつ引き出される。この際、最前のパックａ１の上端近傍部は、極僅かな変形を起こし、最前のパックａ１とこれに隣接する後方のパックａ２間に僅かな隙間を発生させる。これにより、最前のパックａ１とこれに隣接する後方のパックａ２間に発生する静電気に拘らず、最前のパックａ１のみを取り出すことができる。また、他の理由としては、次のようなことが推測される。すなわち、最前のパックａ１を引き出す際、最前のパックａ１は、一対の線材２２との摩擦抵抗に抗して引き出されるものの、最前のパックａ１と隣接する後方のパックａ２は、一対の線材２２との摩擦抵抗に抗することができず、最前のパックａ１に連れて出ることができず、食品パック重積体Ａのブロック内に収まったままとなる。これにより、最前のパックａ１とこれに隣接する後方のパックａ２間に発生する静電気による連れ出し現象が起こらず、最前のパックａ１のみを取り出すことができる。
【００３４】
このように、食品パックａは次々に１枚毎、取り出される。それにつれ、押圧する手段２は、自重により徐々に下降し、常に、一対の線材２２、２２は食品パック重積体Ａの最前パックａｎ（ｎは整数）の上端を常時、押圧することになる。
【００３５】
本発明の食品パック重積体Ａの押え機構５０は、上記実施の形態例に限定されず、種々の変形例を採ることができる。すなわち、押圧する手段２の連結体２３は図１〜図３のものに限定されず、図６〜図８に示すようなものであってもよい。すなわち、図６の押圧する手段２ａの連結体２３ａは、平面視における面積が大のものである。連結体２３ａによれば、一対の線材２２を目隠しできると共に、天面にパックの取り外しの注意事項などが記載されたシール紙を貼付することができる。図７の押圧する手段２ｂの連結体２３ｂは、左右一対の縦線材２１、２１に差渡し状に連結したものである。図８の押圧する手段２ｃの連結体２３ｃは、左右一対の縦線材２１、２１の下端同士を差渡し状に連結した板状体である。この場合、レール部材４ａは、支柱４１ａ、４１ａ間に差し渡された挿入溝４１１を有する連結部４２ａとすればよい。また、本発明においては、連結体を省略することができる。この場合、縦材（縦線材）と前方へ延びる線材を大径とするなどして重くすればよい。また、本発明において、縦材は、線材に限定されず、板状体であってもよい。この場合、前方に延びる線材は、板状体の上部に接続すればよい。
【００３６】
また、押圧する手段２の一対の線材２２としては、図９に示す実施の形態例の他、図１０に示すような、半円形断面の線材２２ａであってもよい。半円形断面の線材２２ａは、円形側が食品パック重積体Ａに当接する。また、図１１に示すような、三角形断面の線材２２ｂであってもよい。三角形断面の線材２２ｂは、尖り部の先端２２１が食品パック重積体Ａに当接する。また、一対の線材２２は四角形以上の多角形断面であってもよい。この場合においても、尖り部の先端が食品パック重積体Ａに当接する。このような、円形断面以外の線材の場合、最大径が２〜１０ｍｍ、好ましくは４〜６ｍｍとすればよい。
【００３７】
また、食品パックは、図１２に示す食品パックａに限定されず、惣菜などが入る収納部を有する本体のみのパックであってもよい。この場合、押圧する手段２の一対の線材２２に代えて、１本の線材でよい。また、食品パック重積体Ａの設置姿勢は、図１〜図３に限定されず、食品を収納する本体６１と、蓋体６２が縦並びで位置する設置姿勢であってもよい。
【００３８】
本発明の食品パック台１０は、食品パック重積体Ａの押え機構５０を有する。食品パック台１０には、トング、トングスタンド及び使用済みトングスタンドなどが設置してもよい。
【産業上の利用可能性】
【００３９】
本発明によれば、食品パック重積体Ａから手前の１枚のパックのみを取り出すことができる。このため、従来のように、重積されたパック間の静電気により、複数個がブロック状に引き出されることがない。従って、衛生的であり、連れ採れするパックの廃棄の問題も生じない。
【符号の説明】
【００４０】
１    スタンド
２    押圧する手段
３    支柱（基台）
４    レール部
１０    食品パック台
１１    底部
１２    背もたれ部
１３    側部
２１    縦線材
２２    前方に延びる線材
２３    連結体
４１    中空管
５０    食品パック重積体の押え機構
Ａ    食品パック重積体
ａ１、ａ２・・・ａｎ・・    食品パック
【図１】
2018002283.tif 000003
【図２】
2018002283.tif 000004
【図３】
2018002283.tif 000005
【図４】
2018002283.tif 000006
【図５】
2018002283.tif 000007
【図６】
2018002283.tif 000008
【図７】
2018002283.tif 000009
【図８】
2018002283.tif 000010
【図９】
2018002283.tif 000011
【図１０】
2018002283.tif 000012
【図１１】
2018002283.tif 000013
【図１２】
2018002283.tif 000014